(57)【要約】【課題】構造が極めて簡単であり且つ靴底のサイズが調節可能であると共に、靴底のサイズを変更する時、靴底に取り付けられたアッパーソールのサイズも同時に調節されるサイズ調節機能付きのシューズを提供する。【解決手段】底部を有する伸縮自在な靴下状のアッパーソールと、つま先ソール、中間ソールおよび踵ソールとからなる靴底であって、前記つま先ソールおよび踵ソールは前記アッパーソールの底部へ固定されており、かつ前記中間ソールは係止手段により前記つま先ソールと踵ソールの間へ着脱自在に取り付けられる前記靴底とからなり、そして前記中間ソールのサイズを変更することにより、前記つま先ソールと踵ソールとの離間距離が調節され且つそれと同時に前記つま先ソールおよび踵ソールへ固定された前記アッパーソールのサイズも一体的に調節されることを特徴とするサイズ調節機能付き靴下シューズを提供する。【選択図】    図１
2010094233.tif 000002
【特許請求の範囲】
【請求項１】
底部を有し、かつ少なくとも長手方向に伸縮自在な靴下状のアッパーソールと、
互いに分割されたつま先ソール、中間ソールおよび踵ソールとからなる靴底であって、前記つま先ソールおよび踵ソールは前記アッパーソールの底部へ固定されており、かつ前記中間ソールは係止手段により前記つま先ソールと踵ソールの間へ着脱自在に取り付けられる前記靴底とからなり、そして
前記中間ソールのサイズを変更することにより、前記つま先ソールと踵ソールとの離間距離が調節され、かつそれと同時に前記つま先ソールおよび踵ソールへ固定された前記アッパーソールのサイズも一体的に調節されることを特徴とする、サイズ調節機能付き靴下シューズ。
【請求項２】
靴底の形状を一定に保つため、先端部は前記つま先ソールに固定されており、そして後端部は前記踵ソールの前側側面に設けられたスリット状の溝穴へ挿入することによりスライド可能に保持される、金属製又はプラスチック製の帯板からなるシャンクプレートさらに含んでいることを特徴とする、請求項１に記載のサイズ調節機能付き靴下シューズ。
【請求項３】
前記つま先ソール又は前記踵ソールは、天然ゴム、合成ゴム、ＥＶＡ、ポリウレタン、ナイロン又はポリエステル材料、若しくは天然皮革又は合成皮革から成形されていることを特徴とする、請求項１に記載のサイズ調節機能付き靴下シューズ。
【請求項４】
前記中間ソールは、前記つま先ソール又は前記踵ソールと同一材料であるか、若しくはエポキシ樹脂、グラスファイバー強化樹脂、カーボンファイバー強化樹脂又は鉄、アルミニウム、ステンレス材料から成形されていることを特徴とする、請求項３に記載のサイズ調節機能付き靴下シューズ。
【請求項５】
前記つま先ソールは、前記靴底を着用者の足裏の動きに追従させるため、前記つま先ソールへ接続され、そして前記つま先ソールの一の側の縁部から他の側の縁部へ前記アッパーソールの甲被部を幅方向に横断するように延びている甲被部保持ベルトを含んでいることを特徴とする、請求項１に記載のサイズ調節機能付き靴下シューズ。
【請求項６】
前記踵ソールは、前記靴底を着用者の足裏の動きに追従させるため、前記踵ソールへ接続され、そして前記踵ソールの周縁部から前記アッパーソールの踵部へその踵部を覆うように延びている踵カバーを含んでいることを特徴とする、請求項１に記載のサイズ調節機能付き靴下シューズ。
【請求項７】
前記踵ソールは、着用者の足首を前記踵ソールへ保持するため、一の端部は前記踵カバーの一の側部へ固定され、そして他の端部は着用者の足首を横断して第２の係止手段により前記踵カバーの他の側部へ着脱自在に係止される足首保持ベルトをさらに含んでいることを特徴とする、請求項６に記載のサイズ調節機能付き靴下シューズ。
【発明の詳細な説明】
【技術分野】
【０００１】
本発明は、靴下状のアッパーソールを用いたサイズ調節機能付き靴下シューズに関し、特に靴底がつま先ソール、踵ソール及び中間ソールの３つの部品に分割され、かつその内のつま先ソール及び踵ソールは靴下部品の底部に固定されており、そしてそれらの間に着脱自在に取り付けられる中間ソールのサイズを任意の大きさに変更することにより、靴下シューズ全体の大きさを一体的に調節することができるサイズ調節機能付き靴下シューズに関する。
【背景技術】
【０００２】
一般に、シューズは、足の上部を覆う甲被部及び踵部からなるアッパーソールと、足の下部を保護する靴底とから構成される。この中で、甲被部及び踵部は、平面素材を各サイズ毎に用意された靴型に合わせて裁断し、各部品を糊付け・積層・縫製するなどにより立体的に製作しなければならないため、シューズの製作に手間と時間が掛かり、そのため、シューズの製造コストも高くなるという問題がある。
【０００３】
一方、このような問題点を解決するため、実開昭５７−１８０７０７号公報（特許文献１）や実開昭５８−１２９８０２号公報（特許文献２）の中では、靴下の底部及び周辺部にゴム状のソール部を接着した靴底付き靴下が提案されている。また、特開２００４−１０５３２３号公報（特許文献３）及び特開２００７−２３６６１２号公報（特許文献４）の中では、足とのフィット性をさらに向上させるために靴下の特定の部分に軟化点の低い合成樹脂の繊維を編み込んだり若しくは靴下表面又は内部に保形支持部材を配設して、これを加熱処理することにより立体形状に成形した低コスト、高フィット性の靴下シューズが提案されている。
【０００４】
しかしながら、靴下部品からなるアッパーソールは伸縮材料から作られているため、着用者の足の大きさに合わせて適度にそのサイズが調節されるが、アッパーソールの底部に装着される靴底は靴下素材に比べて殆んど伸縮することができない合成樹脂材料などから作られているため、着用者の足の大きさに合わせてそのサイズが調節されることはない。
【０００５】
このため、従来の靴下シューズでは、アッパーソールがサイズ調節機能を備えていても、着用者は結局のところ自己の足の大きさに合致した靴底を有する靴下シューズを選ばなければならず、また、製造者も各サイズの靴底毎に靴下シューズを製造及び準備しなければならないという不都合があった。
【０００６】
一方、特開平８−２０５９０６号公報（特許文献５），特開２００８−５１７６９９号公報（特許文献６）又はその中で引用されている米国特許第６４１６４２号，米国特許第２００９６８４号，米国特許第２４９７１７５号，米国特許第３３８９４８１号及び米国特許第６１３８３８５号（特許文献７−１１）の中では、靴底をつま先部と踵部に分割し、両者を舌状のシャンクプレート上にスライド可能に配設及び固定することにより、又はつま先部と踵部との間に大きさの異なる土踏まず部材を固定することにより任意のサイズに調節可能な靴底又はそのような靴底を有するシューズが開示されている。
【０００７】
しかしながら、これらのサイズ調節可能な靴底又はそのような靴底を有するシューズは、靴底のサイズを調節した後、適合する固定されたサイズの非伸縮性のアッパーソールを取り付けることによりそのサイズを調節不可能にするものであったり（特許文献５参照）、若しくはつま先部と踵部とへ分割された靴底へ取り付けることが可能なアッパーソールも、例えばサンダル状のシューズのようにつま先部分と踵部分とへ完全に分離された形状を有するものに限られるという問題があった（特許文献６，８参照）
【０００８】
また、これらのサイズ調節可能な靴底を有するシューズは、いずれも天然皮革などのような比較的硬い素材からなるアッパーソールの使用を前提としているため（特許文献５，７−１０参照）、サイズ調節可能な靴底にはその形状を保持し着用者の足裏との密着性を確保するための舌状のシャンクプレートを配設しなければならず、靴底の構造が複雑となるという問題があった。
【０００９】
さらに、他のタイプのサイズ調節可能な靴底又はそのような靴底を有するシューズとしては特許文献７，９−１１の中に記載されているような、アッパーソールの一部（靴底の土踏まずに対応する部分）に蛇腹等の伸縮構造を設け、通常の使用時においてもシューズの長手方向の大きさを調節可能としたシューズが知られている。
【００１０】
しかしながら、このようなタイプのサイズ調節可能なシューズの場合においても、アッパーソール、特に伸縮部および前記伸縮部と他の部分との縫製部位などの構造が極めて複雑となり、その結果、製作されるシューズの耐久性が低下し、コストが高価になるという問題があった。
【００１１】
【特許文献１】実開昭５７−１８０７０７号公報
【特許文献２】実開昭５８−１２９８０２号公報
【特許文献３】特開２００４−１０５３２３号公報
【特許文献４】特開２００７−２３６６１２号公報
【特許文献５】特開平８−２０５９０６号公報
【特許文献６】特開２００８−５１７６９９号公報
【特許文献７】米国特許第６４１６４２号
【特許文献８】米国特許第２００９６８４号
【特許文献９】米国特許第２４９７１７５号
【特許文献１０】米国特許第３３８９４８１号
【特許文献１１】米国特許第６１３８３８５号
【発明の開示】
【発明が解決しようとする課題】
【００１２】
そこで、本発明は上記の問題点に鑑み、装着時の高い着脱容易性、アジャスト性および装着後の高いフィット性を備えており、かつその底部には耐久性を有する靴底が一体的に固定されているシューズにおいて、構造が極めて簡単であり、そして靴底のサイズが調節可能であると共に、靴底のサイズを変更する時、靴底に取り付けられたアッパーソールのサイズも同時に調節されるサイズ調節機能付きのシューズを提供することを目的とする。
【課題を解決するための手段】
【００１３】
かかる目的を達成するために本発明者らは鋭意検討を重ねた結果、シューズのアッパーソールには長手方向に伸縮自在な靴下状の靴下部品を適用し、シューズの靴底にはアッパーソールに固定されたつま先ソール及び踵ソールと、それらの間に着脱自在に取り付けられる中間ソールとの３つの部品に分割された靴底を適用することにより、中間ソールのサイズを任意の大きさに変更することにより靴下シューズ全体の大きさを一体的に調節することができるサイズ調節機能付き靴下シューズを完成するに至った。
【００１４】
すなわち、本発明によれば、底部を有し、かつ少なくとも長手方向に伸縮自在な靴下状のアッパーソールと、互いに分割されたつま先ソール、中間ソールおよび踵ソールとからなる靴底であって、つま先ソールおよび踵ソールは前記アッパーソールの底部へ固定されており、かつ中間ソールは係止手段によりつま先ソールと踵ソールの間へ着脱自在に取り付けられる前記靴底とからなり、そして中間ソールのサイズを変更することにより、つま先ソールと踵ソールとの離間距離が調節され、かつそれと同時につま先ソールおよび踵ソールへ固定された前記アッパーソールのサイズも一体的に調節されることを特徴とする、サイズ調節機能付き靴下シューズが提供される。
【００１５】
本発明の靴下シューズでは、アッパーソールとして底部を有し且つ少なくとも長手方向に伸縮自在な靴下部品を使用する。このため、本発明のサイズ調節機能付き靴下シューズは極めて簡単な構造であるにもかかわらず、サイズ調節可能な靴底に対応してその大きさを自由に調節することが可能であり、また、着用者間又は同一着用者の左右の足の間などで微妙な足のサイズの違いが生じていても無理なくフィットさせることができる。
【００１６】
また、本発明では、アッパーソールに用いられる靴下部品自体が底部を有し、そして着用者の足形（特に足裏）に自然と馴染んで密着する高いフィット性、アジャスト性を備えているため、靴底にはその保形性、着用者の足裏との密着性等をさらに高める目的で舌状のシャンクプレートを配設する必要がなくなるという利点がある。
【００１７】
さらに、本発明ではアッパーソールに靴下部品を使用しているので、通常のシューズでは得られない高い伸縮性や通気性、肌触りや履き心地の良さ、および高い着脱容易性など靴下が本来的に有する多くの機能上のメリットを享受することができる。また、本発明による靴下シューズを、極めて軽量に且つ低コストで提供できるという効果もある。
【００１８】
アッパーソールに取り付けられる靴底は、つま先ソール、中間ソールおよび踵ソールへと分離した３つの部品から構成される。また、その内のつま先ソールおよび踵ソールはアッパーソールの底部に接着又は溶着等により取外し不可能に固定され、中間ソールは係止手段によりつま先ソールと踵ソールの間に着脱自在に取り付けられる。そして、靴底には異なる大きさ（長さ）の複数の中間ソールが準備され、これらを交換することにより靴下シューズ全体の大きさが一体的に調節される。
【００１９】
つま先ソールおよび踵ソールは、地面等と直に接する観点からは耐摩耗性、耐久性が求められ、またアッパーソールを構成する靴下が有する機能を最大限に引き出す観点からは、適度の伸縮性や可撓性、弾力性を有し、かつ軽量であることが求められる。したがって、つま先ソール及び／又は踵ソールは、靴底に一般的に使用されているような天然ゴム、合成ゴム、ＥＶＡ、ポリウレタン、ナイロン、ポリエステル材料、若しくは天然皮革又は合成皮革などから成形することができる。
【００２０】
また、中間ソールは、つま先ソールおよび踵ソールに求められる機能に加えて又はそれらに代えて、つま先ソールと踵ソールとの離間距離をしっかりと保持する適度な剛性が求められる。そのため、中間ソールは、上述したようなつま先ソール又は踵ソールと同一の材料から成形することができる他、エポキシ樹脂、グラスファイバー強化樹脂、カーボンファイバー強化樹脂又は鉄、アルミニウム、ステンレス材料などより高い剛性を有する材料から成形することもできる。
【００２１】
なお、つま先ソールおよび踵ソールは、アッパーソールの底部に接着する側の接着面と地面に接する側の接地面とでは求められる機能が異なるため、それぞれをミッドソールとアウトソールに分けて製作し、その後両者を一体化したものを使用してもよい。
【００２２】
中間ソールの係止手段は、アッパーソールの底部に設けた係止手段と協働して中間ソールをアッパーソールの底部へ固定するものであってもよく、若しくはつま先ソール及び踵ソールに設けた係止手段と協働して中間ソールをつま先ソール及び踵ソールへ固定するものであってもよい。また、中間ソールのより確実な固定を望む場合は、両者の係止手段を併用させてもよい。
【００２３】
また、具体的な中間ソールの係止手段としては、中間ソールをつま先ソールと踵ソールの間に着脱自在に且つ強力に接合する機能及び構造を有するものであれば特に制限されることなく公知の係止手段を使用することができ、例えばＬｅｇｏ（登録商標）のような凹凸嵌め込み形式の係止手段、ボタン又はフック等を用いたスナップ止め形式の係止手段、ネジを用いたネジ止め形式の係止手段、ねじ込み又は差し込み形式の係止手段、マジックテープ（登録商標）などの２面ファスナー形式の係止手段、側面からのスライド挿入形式の係止手段などを使用することができる。
【００２４】
したがって、本発明によれば、中間ソールのサイズを変更することにより、つま先ソールと踵ソールとの離間距離が調節され、かつそれと同時につま先ソールおよび踵ソールと接合されたアッパーソールのサイズも調節される結果、靴下シューズ全体の大きさが一体的に調節される。
【００２５】
また、本発明の靴下シューズでは、３つの部品に分割された靴底は、靴下の高いフィッティング機能及びアジャスト機能と相俟って着用者の足裏との密着性および足裏の動きに対する追従性をさらに高める役割も果たす。
【００２６】
さらに、本発明において外履き機能等を強化する目的で靴下シューズの耐久性をさらに高めようとする場合は、シューズの靴底にその形状を一定に保つためのシャンクプレートを配設してもよい。
【００２７】
この場合、シャンクプレートは金属製又はプラスチック製などの弾性を有する帯板から成形されていることが好ましく、その固定方法は特に限定されるものではないが、例えばシャンクプレートの先端部をつま先ソールの中に固定し、そしてその後端部は踵ソールの前側側面に設けられたスリット状の溝穴へ挿入することにより、シューズの靴底へスライド可能に保持及び固定することが好ましい。
【００２８】
本発明によるサイズ調節機能付き靴下シューズでは、靴底を着用者の足裏の動きに対してより一層スムーズに追従させるため、靴底には、つま先ソールへ接続され、そしてつま先ソールの一の側の縁部から他の側の縁部へアッパーソールの甲被部を幅方向に横断するように延びる甲被部保持ベルトを設けることができる。また同じ目的で靴底には、踵ソールへ接続され、そして踵ソールの周縁部からアッパーソールの踵部へその踵部を覆うように延びている踵カバーを設けることができ、これは先述の甲被部保持ベルトと併用して使用することよりその効果がより一層高められる。なお、踵カバーはアッパーソールの踵部へ接着されていることが好ましい。
【００２９】
具体的には、つま先ソールの側縁部からアッパーソールの甲被部を横断して配設される甲被部保持ベルトは、つま先ソールと接続されることにより甲被部のホールド性を向上させ、つま先ソールの変形を着用者の足のつま先の動きに追従させる働きをする。また、踵ソールの周縁部からアッパーソールの踵部へその踵部を覆うように配設される踵カバーは、アッパーソールの踵部の立ち上がり形状を保持すると共に、踵ソールと接続されることにより、踵ソールの変形を着用者の足の踵の動きに追従させる働きをする。
【００３０】
この結果、甲被部保持ベルト及び／又は踵部カバーが取り付けられたサイズ調節機能付き靴下シューズは、着用者のつま先及び／又は踵とのフィット性および一体性が高められ、着用者の足裏の動きに対して靴底（つま先ソール及び踵ソール）を無理なく追従させることができるようになる。
【００３１】
さらに、着用者の足首に対する踵ソールのより高いホールド性を付与しようとする場合は、一の端部が踵カバーの一の側部へ固定されており、そして他の端部は着用者の足首を横断して第２の係止手段により踵カバーの他の側部へ着脱自在に固定される足首保持ベルトを取り付けることができる。
【発明の効果】
【００３２】
以上の結果、本発明によれば、装着時の高い着脱容易性、アジャスト性および装着後の高いフィット性を備えており、かつその底部には耐久性を有する靴底が一体的に接合されているシューズにおいて、構造が極めて簡単であり、そして靴底のサイズが調節可能であると共に、靴底のサイズを変更する時、靴底に取り付けられたアッパーソールのサイズも同時に調節されるサイズ調節機能付きのシューズを提供することができる。
【００３３】
また、本発明によれば、アッパーソールに靴下部品を使用しているので、通常のシューズでは得られない高い伸縮性や通気性、肌触りや履き心地の良さ、および高い着脱容易性など靴下が本来的に有する多くの機能上のメリットを享受することができ、着用者間又は同一着用者の左右の足の間などで微妙な足のサイズの違いが生じていても無理なくフィットさせることができる。また、本発明によるサイズ調節機能付き靴下シューズを、極めて軽量に且つ低コストで提供できるという効果がある。
【発明を実施するための最良の形態】
【００３４】
以下、本発明の一実施形態に係るサイズ調節機能付き靴下シューズについて、図面を参照しながら詳細に説明する。なお、本発明は以下に示される実施例に限定されるものではなく、本発明の技術的思想を逸脱しない範囲内で各種の変更が可能である。
【実施例１】
【００３５】
図１（ａ）には、実施例１のサイズ調節機能付き靴下シューズ１ａの斜視図が示されており、図１（ｂ）には、図１（ａ）に示された実施例１のサイズ調節機能付き靴下シューズ１ａのつま先ソール４、中間ソール５及び踵ソール６からなる靴底３の構造を模式的に示した断面図が示されている。
【００３６】
図１（ａ）を参照して理解されるように、実施例１のサイズ調節機能付き靴下シューズ１ａは、靴下状のアッパーソール２と、つま先ソール４、中間ソール５および踵ソール６とから構成される靴底３とからなる。
【００３７】
アッパーソール２には、底部を有し、少なくとも長手方向に伸縮自在な靴下部品が使用される。このため、実施例１の靴下シューズ１ａは、極めて簡単な構造であるにもかかわらず、サイズ調節可能な靴底３に対応してその大きさを自由に調節することが可能であり、また、着用者間又は同一着用者の左右の足の間などで微妙な足のサイズの違いが生じていても無理なくフィットさせることができる。
【００３８】
また、アッパーソール２に用いられる靴下部品は、それ自体が底部を有しそして着用者の足形（特に足裏）に自然と馴染んで密着する高いフィット性、アジャスト性を備えているため、靴底３にはその保形性、着用者の足裏との密着性等をさらに高める目的で舌状のシャンクプレートを配設する必要がなくなる（図１（ｂ）参照）。
【００３９】
さらに、実施例１の靴下シューズ１ａでは、アッパーソール２に靴下部品を使用しているので、通常のシューズでは得られない高い伸縮性や通気性、肌触りや履き心地の良さ、および高い着脱容易性など靴下が本来的に有する多くの機能上のメリットを享受することができる。また、靴下シューズ１ａを、極めて軽量に且つ低コストで提供できるという効果もある。
【００４０】
アッパーソール２に取り付けられる靴底３は、つま先ソール４、中間ソール５および踵ソール６へと分離した３つの部品から構成されている。また、その内のつま先ソール４および踵ソール６はアッパーソール２の底部へ接着又は溶着等により取外し不可能に固定されており、中間ソール５は係止手段７ａによりつま先ソール４と踵ソール６の間に着脱自在に取り付けられる。そして、靴底３には異なる大きさ（長さ）の複数の中間ソール５，５０が準備され、これらを交換することにより靴下シューズ１ａ全体の大きさが一体的に調節される。
【００４１】
つま先ソール４および踵ソール６は、靴底に一般的に使用されているような天然ゴム、合成ゴム、ＥＶＡ、ポリウレタン、ナイロン、ポリエステル材料、若しくは天然皮革又は合成皮革などから成形することができる。
【００４２】
また、中間ソール５は、つま先ソール４と踵ソール６との離間距離をしっかりと保持するのに必要な剛性も求められるため、上述したようなつま先ソール４又は踵ソール６と同一の材料から成形することができる他、エポキシ樹脂、グラスファイバー強化樹脂、カーボンファイバー強化樹脂又は鉄、アルミニウム、ステンレス材料などより高い剛性を有する材料から成形することもできる。
【００４３】
なお、実施例１の靴下シューズ１ａでは、アッパーソールに対する接着面と地面に対する接地面との機能の相違および係止手段７ａの構造を考慮して、つま先ソール４および踵ソール６はそれぞれミッドソール４０，６０とアウトソール４１，６１とに分けて製作し、その後両者を一体化したものを使用している（図１（ｂ）参照）。
【００４４】
実施例１の靴下シューズ１ａに用いられる中間ソール５の係止手段は凹凸嵌め込み形式の係止手段７ａであって、弾性変形を利用して中間ソール５の前後端に設けられた凸型の突起部７０をつま先ソール４の後端部および踵ソール６の前端部に設けられた凹型の開口部７１へそれぞれ嵌め込むことにより、中間ソール５をつま先ソール４と踵ソール６の間に着脱自在に固定するタイプのものである。
【００４５】
ただし、着用者の激しい足の動きなどによっても嵌め込まれた中間ソール５の凸型の突起部７０が不意につま先ソール４及び踵ソール６の凹型の開口部７１から抜け出すことがないように、実施例１の中間ソール５の係止手段７ａでは、凸型の突起部７０を支持するために延長されている中間ソール５の前後端延長部分がつま先ソール４（つま先アウトソール４１）とアッパーソール２の底部との間および踵ソール６（踵アウトソール６１）との間に挟み込まれることにより固定される構造となっている（図１（ｂ）参照）。
【００４６】
また、図示しないが、中間ソール５の係止手段は、例えばマジックテープ（登録商標）など２面ファスナー形式の係止手段を用いて中間ソール５をアッパーソール２の底部へ固定するタイプのものであってもよく、中間ソール５のより確実な固定を望む場合は、実施例１に示されるような中間ソール５とつま先ソール４及び踵ソール６とを接合する係止手段７ａと併用させてもよい。
【００４７】
このように、中間ソール５の係止手段としては、中間ソール５をつま先ソール４と踵ソール６の間で着脱自在に且つ強力に接合する機能及び構造を有するものであれば、特に制限されることなく公知の係止手段を使用することができる。
【００４８】
以上の結果、実施例１のサイズ調節機能付き靴下シューズ１ａでは、中間ソール５，５０のサイズを変更することにより、つま先ソール４と踵ソール６との離間距離が調節され、かつそれと同時につま先ソール４および踵ソール６と接合されたアッパーソール２のサイズも調節される結果、靴下シューズ１ａの全体の大きさが一体的に調節される。
【００４９】
また、実施例１の靴下シューズ１ａでは、３つの部品４，５，６に分割された靴底３は、靴下の高いフィッティング機能及びアジャスト機能と相俟って着用者の足裏との密着性および足裏の動きに対する追従性をさらに高める役割も果たす。
【００５０】
なお、図示しないが、実施例１のサイズ調節機能付き靴下シューズ１ａにおいて外履き機能等を強化する目的で靴下シューズ１ａの耐久性をさらに高めようとする場合は、シューズの靴底３にその形状を一定に保つためのシャンクプレートを配設してもよい。
【実施例２】
【００５１】
図２（ａ）には、実施例２のサイズ調節機能付き靴下シューズ１ｂの斜視図が示されており、図２（ｂ）には、図２（ａ）に示された実施例２のサイズ調節機能付き靴下シューズ１ｂのつま先ソール４、中間ソール５及び踵ソール６からなる靴底３の構造を模式的に示した断面図が示されている。
【００５２】
実施例２のサイズ調節機能付き靴下シューズ１ｂは、実施例１のサイズ調節機能付き靴下シューズ１ａの構成を基礎とする変形例であって、実施例１に係る靴下シューズ１ａの凹凸嵌め込み形式の係止手段７ａを、ネジ７２を用いたネジ止め形式の係止手段へ変更したものである。
【００５３】
したがって、図２（ａ），（ｂ）に示される実施例２の靴下シューズ１ｂは、中間ソール５の係止手段としてネジ止め形式の係止手段７ｂを使用している以外は、すべて実施例１の靴下シューズ１ａと同じ構造及び構成である。したがって、図２（ａ），（ｂ）では実施例１の靴下シューズ１ａと共通する部品については同じ符号を付することとし、また、明細書において共通する各部品の機能等の説明も実施例１の場合と同じであるので、ここでは省略することとする。
【００５４】
実施例２のサイズ調節機能付き靴下シューズ１ｂは、図２（ａ）を参照して理解されるように、実施例２のサイズ調節機能付き靴下シューズ１ｂでは、アッパーソール２に対し、底部を有し、少なくとも長手方向に伸縮自在な靴下部品が使用され、アッパーソール２に取り付けられる靴底３に対しては、つま先ソール４、中間ソール５および踵ソール６へと分離した３つの部品から構成されている靴底３が使用される。
【００５５】
そして、実施例２の靴下シューズ１ｂは、つま先ソール４および踵ソール６のみがアッパーソール２の底部に接着又は溶着等により取外し不可能に固定されており、中間ソール５は係止手段７ｂによりつま先ソール４と踵ソール６の間に着脱自在に取り付けられる。そして、靴底３には異なる大きさ（長さ）の複数の中間ソール５，５０が準備され、これらを交換することにより靴下シューズ１ｂ全体の大きさが一体的に調節される。
【００５６】
実施例２の靴下シューズ１ｂに用いられる中間ソール５の係止手段はネジ７２を用いたネジ止め形式の係止手段７ｂであって、中間ソール５の前後端に設けられた延長部７３をつま先ソール４の後端部および踵ソール６の前端部へネジ７２によりネジ止めすることにより、中間ソール５をつま先ソール４と踵ソール６の間に着脱自在に固定するタイプのものである。
【００５７】
ただし、実施例２の靴下シューズ１ｂでは、地面との接触により中間ソール５の延長部７３およびネジ７３が磨耗するのを防ぐため、つま先ソール４の後端部および踵ソール６の前端部には、中間ソール５の延長部７３が接合される領域と一致する領域に凹部７４が設けられ、中間ソール５を装着後、少なくとも延長部７３およびネジ７３の表面がつま先ソール４および踵ソール６の表面より突出しないように配慮されている（図２（ｂ）参照）。
【００５８】
また、図示しないが、中間ソール５の係止手段は、例えばマジックテープ（登録商標）など２面ファスナー形式の係止手段を用いて中間ソール５をアッパーソール２の底部へ固定するタイプのものであってもよく、中間ソール５のより確実な固定を望む場合は、実施例２に示されるような中間ソール５とつま先ソール４及び踵ソール６とを接合する係止手段７ｂと併用させてもよい。
【００５９】
このように、中間ソール５の係止手段としては、中間ソール５をつま先ソール４と踵ソール６の間に着脱自在に且つ強力に接合する機能及び構造を有するものであれば、特に制限されることなく公知の係止手段を使用することができる。
【００６０】
以上の結果、実施例２のサイズ調節機能付き靴下シューズ１ｂでは、中間ソール５，５０のサイズを変更することにより、つま先ソール４と踵ソール６との離間距離が調節され、かつそれと同時につま先ソール４および踵ソール６と固定されたアッパーソール２のサイズも調節される結果、靴下シューズ１ｂの全体の大きさが一体的に調節される。
【実施例３】
【００６１】
図３には、実施例３のサイズ調節機能付き靴下シューズ１ｃの斜視図が示されている。
【００６２】
実施例３のサイズ調節機能付き靴下シューズ１ｃは、実施例２のサイズ調節機能付き靴下シューズ１ｂの構成を基礎とする変形例であって、靴底３を着用者の足裏の動きに対してより一層スムーズに追従させるため、靴底３には、つま先ソール４へ接続され、そしてつま先ソール４の一の側の縁部から他の側の縁部へアッパーソール２の甲被部を幅方向に横断するように延びる甲被部保持ベルト８が取り付けられており、それ以外は実施例２の靴下シューズ１ｂと同じ構造を有する。
【００６３】
また、実施例３の靴下シューズ１ｃの靴底３には、同じ目的で、踵ソール６へ接続され、そして踵ソール６の周縁部からアッパーソール２の踵部へその踵部を覆うように延びており且つ踵部へ接着されている踵カバー９が取り付けられており、先の甲被部保持ベルト８と併用して使用することよりその効果がより一層高められている。
【００６４】
具体的には、つま先ソール４の側縁部からアッパーソール２の甲被部を横断して配設される甲被部保持ベルト８は、つま先ソール４と接続されることにより甲被部のホールド性を向上させ、つま先ソール４の変形を着用者の足のつま先の動きに追従させる働きをする。また、踵ソール６の周縁部からアッパーソール２の踵部へその踵部を覆うように配設される踵カバー９は、アッパーソール２の踵部の立ち上がり形状を保持すると共に、踵ソール６と接続されることにより、踵ソール６の変形を着用者の足の踵の動きに追従させる働きをする。
【００６５】
この結果、甲被部保持ベルト８及び踵部カバー９が取り付けられた実施例３のサイズ調節機能付き靴下シューズ１ｃは、着用者のつま先及び踵とのフィット性および一体性が高められ、着用者の足裏の動きに対して靴底（つま先ソール及び踵ソール）を無理なく追従させることができるようになる。
【実施例４】
【００６６】
図４には、実施例４のサイズ調節機能付き靴下シューズ１ｄの斜視図が示されている。
【００６７】
実施例４のサイズ調節機能付き靴下シューズ１ｄは、実施例３のサイズ調節機能付き靴下シューズ１ｃの構成を基礎とする変形例であって、着用者の足首に対する踵ソール６のより高いホールド性を付与するために、一の端部が踵カバー９の一の側部へ固定されており、そして他の端部は着用者の足首を横断した第２の係止手段１１により踵カバー９の他の側部へ着脱自在に係止されている足首保持ベルト１０が取り付けられており、それ以外は実施例３の靴下シューズ１ｃと同じ構造を有する。
【００６８】
また、実施例３の靴下シューズ１ｄでは、靴下シューズの着脱容易性を重視して、アッパーソール２の甲被部を幅方向に横断して配設される甲被部保持ベルト８の片側の端部を、第３の係止手段１２を用いてつま先ソール４の側縁部へ着脱自在に接続している。
【００６９】
この結果、甲被部保持ベルト８、踵部カバー９及び足首保持ベルト１０が取り付けられた実施例４のサイズ調節機能付き靴下シューズ１ｄは、着用者のつま先及び踵とのフィット性および一体性がより一層高められ、着用者の足裏の動きに対して靴底（つま先ソール及び踵ソール）を無理なく追従させることができるようになる。
【図面の簡単な説明】
【００７０】
【図１】凹凸嵌め込み形式の係止手段を用いた実施例１のサイズ調節機能付き靴下シューズの斜視図および模式的断面図である。
【図２】実施例１の靴下シューズをベースに、ネジ止め形式の係止手段を用いた実施例２のサイズ調節機能付き靴下シューズの斜視図および模式的断面図である。
【図３】実施例２の靴下シューズをベースに、甲被部保持ベルト及び踵部カバーを取り付けた実施例３のサイズ調節機能付き靴下シューズの斜視図である。
【図４】実施例３の靴下シューズをベースに、足首保持ベルトを取り付けた実施例４のサイズ調節機能付き靴下シューズの斜視図である。
【符号の説明】
【００７１】
１ａ，１ｂ，１ｃ，１ｄ  ・・・・・・  サイズ調節機能付き靴下シューズ
２  ・・・・・・・・・・・・・・・・・・・・・・・・・・  アッパーソール
３  ・・・・・・・・・・・・・・・・・・・・・・・・・・  靴底
４  ・・・・・・・・・・・・・・・・・・・・・・・・・・  つま先ソール
５，５０  ・・・・・・・・・・・・・・・・・・・・  中間ソール
６  ・・・・・・・・・・・・・・・・・・・・・・・・・・  踵ソール
７ａ，７ｂ  ・・・・・・・・・・・・・・・・・・  係止手段
８  ・・・・・・・・・・・・・・・・・・・・・・・・・・  甲被部保持ベルト
９  ・・・・・・・・・・・・・・・・・・・・・・・・・・  踵カバー
１０  ・・・・・・・・・・・・・・・・・・・・・・・・  足首保持ベルト
１１  ・・・・・・・・・・・・・・・・・・・・・・・・  第２の係止手段
１２  ・・・・・・・・・・・・・・・・・・・・・・・・  第３の係止手段
４０，６０  ・・・・・・・・・・・・・・・・・・  ミッドソール
４１，６１  ・・・・・・・・・・・・・・・・・・  アウトソール
７０  ・・・・・・・・・・・・・・・・・・・・・・・・  凸型の突起部
７１  ・・・・・・・・・・・・・・・・・・・・・・・・  凹型の開口部
７２  ・・・・・・・・・・・・・・・・・・・・・・・・  ネジ
７３  ・・・・・・・・・・・・・・・・・・・・・・・・  延長部
７４  ・・・・・・・・・・・・・・・・・・・・・・・・  凹部
【図１】
2010094233.tif 000003
【図２】
2010094233.tif 000004
【図３】
2010094233.tif 000005
【図４】
2010094233.tif 000006